(57)【要約】  本発明は、装身具固定用安全ピンを開示する。本発明に係る装身具固定用安全ピンは、長さ方向の胴体を有するベース部；前記ベース部の一端に結合され、前記ベース部の長さ方向に延伸された少なくとも一つ以上のピンが固定されたピン固定部；前記ベース部の他端に結合され、前記ピン固定部のピンが挿入締結されるピン締結溝が形成されたピン締結部；及び、前記ピン固定部とピン締結部に結合され、外部から加えられる力によって変形され、自体の弾性力によって本来の形態に復元されるループ構造を有するループボタン部；を含み、前記ループボタン部は、前記ベース部の側面の方向に加圧される力によって変形され、前記ピン固定部とピン締結部に互いに反対方向の力を伝え、この力によって前記ピン固定部とピン締結部が前記ベース部との結合地点を中心にして外郭の方向に移動されることにより、前記ピン固定部のピンがピン締結部から分離されることを特徴とする。【選択図】図１
2015526154.tif 000002
【特許請求の範囲】
【請求項１】
長さ方向の胴体を有するベース部；
前記ベース部の一端に結合され、前記ベース部の長さ方向に延伸された少なくとも一つ以上のピンが固定されたピン固定部；
前記ベース部の他端に結合され、前記ピン固定部のピンが挿入締結されるピン締結溝が形成されたピン締結部；及び、
前記ピン固定部とピン締結部に結合され、外部から加えられる力によって変形され、自体の弾性力によって本来の形態に復元されるループ構造を有するループボタン部；を含み、
前記ループボタン部は、前記ベース部の側面の方向に加圧される力によって変形され、前記ピン固定部とピン締結部に互いに反対方向の力を伝え、この力によって前記ピン固定部とピン締結部が前記ベース部との結合地点を中心にして外郭の方向に移動されることにより、前記ピン固定部のピンがピン締結部から分離されることを特徴とする装身具固定用安全ピン。
【請求項２】
長さ方向の胴体を有するベース部；
前記ベース部の一端に結合され、前記ベース部の長さ方向に延伸された少なくとも一つ以上のピンが固定されたピン固定部；
前記ベース部の他端に結合され、前記ピン固定部のピンが挿入締結されるピン締結溝が形成されたピン締結部；及び、
前記ピン固定部またはピン締結部の中の何れか一つと、前記ベース部に結合され、外部から加えられる力によって変形され、自体の弾性力によって本来の形態に復元されるループ構造を有するループボタン部；を含み、
前記ループボタン部は、前記ベース部の側面の方向に加圧される力によって変形され、前記ピン固定部またはピン締結部の中、結合された何れか一つに外郭の方向への力を伝え、この力によって前記ピン固定部またはピン締結部が前記ベース部との結合地点を中心にして外郭の方向に移動されることにより、前記ピン固定部のピンがピン締結部から分離されることを特徴とする装身具固定用安全ピン。
【請求項３】
長さ方向の胴体を有するベース部；
前記ベース部の一端に結合され、前記ベース部の長さ方向に延伸され、前記ベース部の他端に固定されるように屈曲された少なくとも一つ以上のピンが固定されたピン固定部；及び、
前記ピン固定部とベース部に結合され、外部から加えられる力によって変形され、自体の弾性力によって本来の形態に復元されるループ構造を有するループボタン部；を含み、
前記ループボタン部は、前記ベース部の側面の方向に加圧される力によって変形され、前記ピン固定部に外郭の方向への力を伝え、この力によって前記ピン固定部が前記ベース部との結合地点を中心にして外郭の方向に移動されることにより、前記ピン固定部のピンが前記ベース部から分離されることを特徴とする装身具固定用安全ピン。
【請求項４】
長さ方向の胴体を有するベース部；
前記ベース部の一端に結合され、前記ベース部の長さ方向に延伸された少なくとも一つ以上のピンが固定された第１のピン固定部；
前記ベース部の他端に結合され、前記ベース部の長さ方向に延伸された少なくとも一つ以上のピンが固定された第２のピン固定部；及び、
前記第１及び第２のピン固定部に結合され、外部から加えられる力によって変形され、自体の弾性力によって本来の形態に復元されるループ構造を有するループボタン部；を含み、
前記ループボタン部は、前記ベース部の側面の方向に加圧される力によって変形され、前記第１及び第２のピン固定部に互いに反対方向の力を伝え、この力によって前記第１及び第２のピン固定部が前記ベース部との結合地点を中心にして外郭の方向に移動されることにより、前記第１及び第２のピン固定部のピンが前記ベース部の上部方向に分離されることを特徴とする装身具固定用安全ピン。
【請求項５】
前記第１及び第２のピン固定部のピンは、末端が前記ベース部の中心部から互いに交差するように位置することを特徴とする、請求項４に記載の装身具固定用安全ピン。
【請求項６】
前記第１及び第２のピン固定部のピンは、末端が前記ベース部の中心部分に固定されるように屈曲された形で形成されることを特徴とする、請求項４に記載の装身具固定用安全ピン。
【請求項７】
前記ピン固定部またはピン締結部は、前記ベース部にヒンジ結合されることを特徴とする、請求項１〜４の何れか１項に記載の装身具固定用安全ピン。
【請求項８】
前記ピン固定部またはピン締結部には、前記ループボタン部の弾性力を補助する補助弾性バネが更に備えられることを特徴とする、請求項１〜４の何れか１項に記載の装身具固定用安全ピン。
【請求項９】
前記補助弾性バネは、前記ピン固定部とピン締結部に単一に形成されたり、両側にそれぞれ形成されることを特徴とする、請求項８に記載の装身具固定用安全ピン。
【請求項１０】
前記補助弾性バネが、前記ピン固定部とピン締結部にそれぞれ形成された場合、前記ピン固定部バネの弾性が強く、前記ピン締結部バネの弾性が弱く形成されることを特徴とする、請求項９に記載の装身具固定用安全ピン。
【請求項１１】
前記ループボタン部のループ内部には、前記ループボタン部の弾性力を補助する補助弾性バネが更に備えられることを特徴とする、請求項１〜４の何れか１項に記載の装身具固定用安全ピン。
【請求項１２】
前記補助弾性バネは、前記のループボタン部のループ内部に単一に形成されたり、前記ベース部を介して両側にそれぞれ形成されることを特徴とする、請求項１１に記載の装身具固定用安全ピン。
【請求項１３】
前記ピン固定部またはピン締結部には、前記ループボタン部が通過されるように収容する収容部材が形成され、前記収容部材を通じて前記ループボタン部が結合されることを特徴とする、請求項１〜４の何れか１項に記載の装身具固定用安全ピン。
【請求項１４】
前記ピン締結部のピン締結溝にスポンジ部材が形成されることを特徴とする、請求項１〜４の何れか１項に記載の装身具固定用安全ピン。
【請求項１５】
前記ループボタン部は、前記ベース部の一側面のみに備えられた半円状の構造で形成されることができることを特徴とする、請求項１〜４の何れか１項に記載の装身具固定用安全ピン。
【請求項１６】
前記ベース部には、前記ループボタン部と、ピン固定部またはピン締結部で構成されたピングループが少なくとも一つ以上結合されて構成されることができることを特徴とする、請求項１〜４の何れか１項に記載の装身具固定用安全ピン。
【発明の詳細な説明】
【技術分野】
【０００１】
本発明は、装身具固定用安全ピンに関し、より詳細には、衣服や鞄などのような織物材質の被付着物にリボン、名札、宝石類のような簡単なアクセサリーから、移動通信端末、各種電子チップ、スピーカー、マイクなどのような携帯が可能な携帯型電子機器などの装身具を固定できる装身具固定用安全ピンに関する。
【背景技術】
【０００２】
一般的に、安全ピンは、リボン、名札、宝石類のような簡単な装身具を服に固定させたり、身なりを整えたり、スカーフ、ショールなどが揺れ動かないようにするために使用されている。さらに、このような安全ピンは、品質表示、価格、注意事項などが記載されたタグ（ｔａｇ）を衣類、鞄などの商品に固定するための手段としても使用されている。
【０００３】
一方、最近になって、ＩＤカードや交通カードのような各種電子チップはもちろん、移動通信端末、ＰＭＰ、ＭＰ３プレーヤー、スピーカー、マイクなどのような携帯型電子機器が次第に小型化及び軽量化されていることにつれ、手のひらよりも小形のものが普及されている。
【０００４】
このような携帯型電子機器は、主に、ポケットや鞄に入れて携帯し、必要時に取り出して使用している。しかし、このような場合、サイズの小さな携帯型電子機器がポケットや鞄に固定された状態で保管されていないため、携帯型電子機器が、携帯されていたポケットや鞄から離脱され、紛失や破損が発生してしまう問題があった。
【０００５】
このような問題を解決するための方案として、携帯型電子機器に固定された掛け用の連結紐を首にかけて使用しているが、このような場合には、首に掛けられている携帯型電子機器が固定されていないため、身体の動きに応じて揺れることで、外部物質にぶつかって機器が損傷されたり、身体の一部を打撃して打撲傷や首に無理を与えたりして、首ディスクのような疾患を誘発させる問題があった。このような問題の場合、携帯型電子機器に安全ピンやクリップを付着し、衣服などに固定した状態で携帯することで解決することができた。
【０００６】
このように安全ピンは、リボン、名札、宝石類のような簡単な装身具から、各種の電子チップや移動体通信端末、ＰＭＰ、ＭＰ３プレーヤーなどの携帯型電子機器を衣服や鞄のような被付着物に固定させる用途で使用されている。しかし、従来の安全ピンは、衣服や鞄などの被付着物への着用または分離が不便であるという問題があった。したがって、本発明が属する技術分野では、このような問題点を解決する方案が要求されている。
【発明の概要】
【発明が解決しようとする課題】
【０００７】
本発明は、前述のような従来技術の問題点を解決するために創案されたものであって、従来に比べて非常に容易に衣服や鞄などのような織物材質の被付着物への着用または分離が可能であり、サイズを最小化することができる装身具固定用安全ピンを提供することにその目的がある。
【課題を解決するための手段】
【０００８】
上記の技術的課題を達成するための本発明の第１の実施形態に係る装身具固定用安全ピンは、長さ方向の胴体を有するベース部；前記ベース部の一端に結合され、前記ベース部の長さ方向に延伸された少なくとも一つ以上のピンが固定されたピン固定部；前記ベース部の他端に結合され、前記ピン固定部のピンが挿入締結されるピン締結溝が形成されたピン締結部；及び、前記ピン固定部とピン締結部に結合され、外部から加えられる力によって変形され、自体の弾性力によって本来の形態に復元されるループ構造を有するループボタン部；を含み、前記ループボタン部は、前記ベース部の側面の方向に加圧される力によって変形され、前記ピン固定部とピン締結部に互いに反対方向の力を伝え、この力によって前記ピン固定部とピン締結部が前記ベース部との結合地点を中心にして外郭の方向に移動されることにより、前記ピン固定部のピンがピン締結部から分離されることを特徴とする。
【０００９】
上記の技術的課題を達成するための本発明の第２の実施形態に係る装身具固定用安全ピンは、長さ方向の胴体を有するベース部；前記ベース部の一端に結合され、前記ベース部の長さ方向に延伸された少なくとも一つ以上のピンが固定されたピン固定部；前記ベース部の他端に結合され、前記ピン固定部のピンが挿入締結されるピン締結溝が形成されたピン締結部；及び、前記ピン固定部またはピン締結部の中の何れか一つと、前記ベース部に結合され、外部から加えられる力によって変形され、自体の弾性力によって本来の形態に復元されるループ構造を有するループボタン部；を含み、前記ループボタン部は、前記ベース部の側面の方向に加圧される力によって変形され、前記ピン固定部またはピン締結部の中、結合された何れか一つに外郭の方向への力を伝え、この力によって前記ピン固定部またはピン締結部が前記ベース部との結合地点を中心にして外郭の方向に移動されることにより、前記ピン固定部のピンがピン締結部から分離されることを特徴とする。
【００１０】
上記の技術的課題を達成するための本発明の第３の実施形態に係る装身具固定用安全ピンは、長さ方向の胴体を有するベース部；前記ベース部の一端に結合され、前記ベース部の長さ方向に延伸され、前記ベース部の他端に固定されるように屈曲された少なくとも一つ以上のピンが固定されたピン固定部；及び、前記ピン固定部とベース部に結合され、外部から加えられる力によって変形され、自体の弾性力によって本来の形態に復元されるループ構造を有するループボタン部；を含み、前記ループボタン部は、前記ベース部の側面の方向に加圧される力によって変形され、前記ピン固定部に外郭の方向への力を伝え、この力によって前記ピン固定部が前記ベース部との結合地点を中心にして外郭の方向に移動されることにより、前記ピン固定部のピンが前記ベース部から分離されることを特徴とする。
【００１１】
上記の技術的課題を達成するための本発明の第４の実施形態に係る装身具固定用安全ピンは、長さ方向の胴体を有するベース部；前記ベース部の一端に結合され、前記ベース部の長さ方向に延伸された少なくとも一つ以上のピンが固定された第１のピン固定部；前記ベース部の他端に結合され、前記ベース部の長さ方向に延伸された少なくとも一つ以上のピンが固定された第２のピン固定部；及び、前記第１及び第２のピン固定部に結合され、外部から加えられる力によって変形され、自体の弾性力によって本来の形態に復元されるループ構造を有するループボタン部；を含み、前記ループボタン部は、前記ベース部の側面の方向に加圧される力によって変形され、前記第１及び第２のピン固定部に互いに反対方向の力を伝え、この力によって前記第１及び第２のピン固定部が前記ベース部との結合地点を中心にして外郭の方向に移動されることにより、前記第１及び第２のピン固定部のピンが前記ベース部の上部方向に分離されることを特徴とする。
【００１２】
本発明の第４の実施形態に係ると、前記第１及び第２のピン固定部のピンは、末端が前記ベース部の中心部から互いに交差するように位置する。
【００１３】
本発明の第４の実施形態に係ると、前記第１及び第２のピン固定部のピンは、末端が前記ベース部の中心部分に固定されるように屈曲された形で形成されることができる。
【００１４】
望ましくは、前記ピン固定部またはピン締結部は、前記ベース部にヒンジ結合される。
【００１５】
望ましくは、前記ピン固定部またはピン締結部には、前記ループボタン部の弾性力を補助する補助弾性バネが更に形成される。
【００１６】
望ましくは、前記補助弾性バネは、前記ピン固定部とピン締結部に単一に形成されたり、両側にそれぞれ形成される。
【００１７】
望ましくは、前記補助弾性バネが、前記ピン固定部とピン締結部にそれぞれ形成された場合、前記ピン固定部バネの弾性が強く、前記ピン締結部バネの弾性が弱く形成される。
【００１８】
望ましくは、前記ループボタン部のループ内部には、前記ループボタン部の弾性力を補助する補助弾性バネが更に形成される。
【００１９】
望ましくは、前記補助弾性バネは、前記のループボタン部のループ内部に単一に形成されたり、前記ベース部を介して両側にそれぞれ形成される。
【００２０】
望ましくは、前記ピン固定部またはピン締結部には、前記ループボタン部が通過されるように収容する収容部材が形成され、前記収容部材を通じて前記ループボタン部が結合される。
【００２１】
望ましくは、前記ピン締結部のピン締結溝にスポンジ部材が形成されることができる。
【００２２】
本発明において、前記ループボタン部は、前記ベース部の一側面のみに備えられた半円状の構造で形成されることができる。
【００２３】
本発明において、前記ベース部には、前記ループボタン部と、ピン固定部またはピン締結部で構成されたピングループが少なくとも一つ以上結合されて構成されることができる。
【発明の効果】
【００２４】
本発明に係ると、装身具が、従来に比べて非常に容易に衣服や鞄などのような織物材質の被付着物への着用または分離が可能であるという効果が発生する。また、装身具固定用安全ピンに固定しようとする装身具の結合及び分離ができるため、様々な形態の装身具の適用が可能である。さらに、装身具固定用安全ピンのピン構造を改善したため、装身具固定用安全ピンが着用された際、被付着物の損傷を最小化することができる。また、装身具固定用安全ピンの着用及び分離の操作が簡便であるため、ユーザーにとって便利性が向上される。
【００２５】
本明細書に添付する図面は、本発明の望ましい実施形態を例示するものであって、発明の後述する詳細な説明と共に、本発明の技術思想をさらに理解させる役割をするものなので、本発明は、そのような図面に記載の事項のみに限定して解釈してはいけない。
【図面の簡単な説明】
【００２６】
【図１】（ａ）は本発明の第１の実施形態に係る装身具固定用安全ピンの構成とその作動状態を示す斜視図であり、（ｂ）は本発明の第１の実施形態に係る装身具固定用安全ピンの構成とその作動状態を示す斜視図である。
【図２】（ａ）は本発明の第２の実施形態に係る装身具固定用安全ピンの構成とその作動状態を示す斜視図であり、（ｂ）は本発明の第２の実施形態に係る装身具固定用安全ピンの構成とその作動状態を示す斜視図である。
【図３】（ａ）は本発明の第３の実施形態に係る装身具固定用安全ピンの構成とその作動状態を示す斜視図であり、（ｂ）は本発明の第３の実施形態に係る装身具固定用安全ピンの構成とその作動状態を示す斜視図である。
【図４】（ａ）は本発明の第４の実施形態に係る装身具固定用安全ピンの構成とその作動状態を示す斜視図であり、（ｂ）は本発明の第４の実施形態に係る装身具固定用安全ピンの構成とその作動状態を示す斜視図である。
【図５】（ａ）は本発明に係る装身具固定用安全ピンにおいて、補助弾性バネが追加された構成を示す斜視図であり、（ｂ）は本発明に係る装身具固定用安全ピンにおいて、補助弾性バネが追加された構成を示す斜視図である。
【図６】（ａ）は本発明に係る装身具固定用安全ピンにおいて、ループボタン部の変形された構成とその作動状態を示す斜視図であり、（ｂ）は本発明に係る装身具固定用安全ピンにおいて、ループボタン部の変形された構成とその作動状態を示す斜視図である。
【図７】（ａ）は本発明に係る装身具固定用安全ピンにおいて、ループボタン部の他の変形された構成とその作動状態を示す側面図であり、（ｂ）は本発明に係る装身具固定用安全ピンにおいて、ループボタン部の他の変形された構成とその作動状態を示す側面図である。
【図８】本発明に係る装身具固定用安全ピンにおいて、ループボタン部の他の形態の構成を示す斜視図である。
【図９】本発明に係る装身具固定用安全ピンの拡張された形態の構成とその作動状態を示す斜視図である。
【発明を実施するための形態】
【００２７】
以下、添付された図面を参考して、本発明の望ましい実施形態を詳しく説明する。これに先立ち、本明細書及び請求範囲に使用されている用語や単語は通常的または辞書的な意味に限定して解釈してはいけないと共に、発明者は、その自分の発明を最善の方法として説明するために、用語の概念を適切に定義できるという原則に立脚して、本発明の技術的思想に合致する意味と概念に解釈すべきである。従って、本明細書に記載の実施形態と図面に示されている構成は、本発明の最も望ましい一実施形態に過ぎず、本発明の技術的思想を全部代弁するものではないので、本出願の時点において、これらを代替できる多様な均等物及び変形例があり得ることを理解すべきである。
【００２８】
［第１の実施形態］
図１の（ａ）及び（ｂ）は、本発明の第１の実施形態に係る装身具固定用安全ピンの構成とその作動状態を示す斜視図である。図１の（ａ）は、装身具固定用安全ピンのループボタン部に力が加圧されていない状態を示すものであり、図１の（ｂ）は、前記ループボタン部に力が加圧された際の変化状態を示すものである。
【００２９】
図１の（ａ）及び（ｂ）を参照すると、本発明の第１の実施形態に係る装身具固定用安全ピン１００は、ベース部１１０、ピン固定部１２０、ピン締結部１３０、及びループボタン部１４１を含む。
【００３０】
前記ベース部１１０は、長さ方向を有する胴体を有し、中心にボルト構造を有する装身具（未図示）が結合されるための内部に、ネジ線が形成された装身具結合孔１１５が形成される。前記装身具結合孔１１５には、装身具に備えられたボルトを挟み込んで締結することによって、前記装身具をベース部１１０に固定できるようにする。ここで、装身具は、リボン、名札、宝石類のような簡単なアクセサリーから、ＩＤカードや交通カードのような各種電子チップはもちろん、移動通信端末、ＰＭＰ、ＭＰ３プレーヤー、超小型マイク、超小型スピーカーのような携帯型電子機器などのように、携帯が可能な物品を全部含む概念である。一方、本発明では、装身具を固定させるための手段が前記装身具結合孔１１５に限定されず、ベース部１１０に装身具が結合されるための装身具掛けフックまたは装身具掛け用紐が形成されたり、ベース部１１０の下面に接着テープ、ベルクロテープ、固まった接着剤などのような接着手段を用いて装身具を固定できることは言うまでもない。
【００３１】
前記ピン固定部１２０は、前記ベース部１１０の一端に結合され、ベース部１１０の長さ方向に延伸された少なくとも一つ以上のピン１２１が固定される。ここで、ピン１２１は、前記ベース部１１０を衣服や鞄などのような織物材質の被付着物に結合させる機能を行うものであって、単一に構成されることもあるが、その個数を一つ以上に構成して、被付着物に加えられる力を分散させ、被付着物の損傷を最小化することができるように構成され得る。
【００３２】
前記ピン締結部１３０は、前記ベース部１１０の他端に結合され、前記ピン固定部１２０のピン１２１が挿入締結されるピン締結溝１３１が形成される。ここで、ピン締結溝１３１は、前記ピン１２１が挿入締結されることができる形態を有し、ピン１２１が挿入される方向から内側に行くほど口径が次第に小さくなる形で形成されることが望ましい。これは、ピン締結溝１３１にピン１２１の挿入が容易に行われると共に、完全に挿入された場合、堅固な締結状態を保持できるようにするためである。
【００３３】
一方、前記ピン締結部１３０のピン締結溝１３１は、ピン１２１の締結が容易にできるように、孔を一つ以上形成したり、スポンジ、束子、繊維材質などのようなスポンジ部材１３３を形成して、より広い面積で締結が行われるようにすることができる。
【００３４】
本発明の第１の実施形態に係る装身具固定用安全ピン１００において、前記ピン固定部１２０とピン締結部１３０は、前記ベース部１１０の一端と他端にそれぞれヒンジ１２５、１３５を通じてヒンジ結合され、ベース部１１０の外郭の方向への移動が可能な形で結合される。この際、ピン固定部１２０とピン締結部１３０は、ヒンジ１２５、１３５を中心にしてベース部１１０の外郭の方向に回転運動することによって移動されるようになる。また、ピン固定部１２０とピン締結部１３０は、ベース部１１０の外郭の方向への回転運動が可能であると共に、内側への回転は制限されることができるような形で構成されることが望ましい。これは、前記ピン固定部１２０のピン１２１が前記ピン締結部１３０のピン締結溝１３１への締結及び分離が可能であると共に、ピン１２１が過度にピン締結溝１３１に挿入され、製品が破損されることを防止するためである。
【００３５】
一方、前記ピン固定部１２０とピン締結部１３０が前記ベース部１１０に結合される方式が、ヒンジによって結合されることはできるが、本発明はこれに限定されず、前記ベース部１１０を基準にして、前記ピン固定部１２０とピン締結部１３０が移動されることができる多様な形に変形可能であることは言うまでもない。前記ループボタン部１４１は、前記ピン固定部１２０とピン締結部１３０に結合され、外部から加えられる力によって変形され、自体の弾性力によって本来の形態に復元されるループ構造で形成される。この際、前記ピン固定部１２０とピン締結部１３０は、前記ループボタン部１４１の変形と復元に対して連動され、共に運動され得る構造で前記のループボタン部１４１に連結されることが望ましい。前記ループボタン部１４１は、外部から加えられる力によって変形及び復元が成されるような弾性材質のゴムまたはプラスチックからなり、弾性力が良好であり、製造が容易なウレタンゴム材質からなることが望ましい。一方、前記ループボタン部１４１のループ構造は、円状のループ状であることができるが、本発明はこれに限定されず、四角形または八角形のような多角形の形状で形成されることもできるのは言うまでもない。
【００３６】
具体的に、第１の実施形態に係る装身具固定用安全ピン１００の作動状態を説明すると、図１の（ａ）は、前記ループボタン部１４１に外部からの力が加えられなかった本来の状態の場合を示したものであって、前記ループボタン部１４１は、前記ピン固定部１２０とピン締結部１３０との間に位置し、前記ピン固定部１２０とピン締結部１３０には、何の力も加われていない状態を保持する。この際、前記ピン固定部１２０とピン締結部１３０は、前記ベース部１１０に対して垂直に位置し、前記ピン固定部１２０のピン１２１が前記ピン締結部１３０のピン締結溝１３１に挿入締結された状態を保持することになる。
【００３７】
さらに、図１の（ｂ）は、前記ループボタン部１４１に外部からの力が加えられた状態を示すものであって、前記ループボタン部１４１は、前記ベース部１１０の側面の方向に加圧される力によって変形され、前記ピン固定部１２０とピン締結部１３０に対して、互いに反対方向の力を伝える。そうすると、前記ピン固定部１２０とピン締結部１３０は、前記ヒンジ１２５、１３５を中心にして、それぞれ外郭の方向に回転運動するようになり、前記ピン固定部１２０とピン締結部１３０との間の間隔が離隔され、前記ピン固定部１２０のピン１２１が前記ピン締結部１３０のピン締結溝１３１から離脱して分離されるようになる。
【００３８】
すなわち、第１の実施形態に係る装身具固定用安全ピン１００は、使用前または被付着物に結合させた状態では図１の（ａ）に示すような形態を保持し、被付着物に装身具固定用安全ピン１００を結合又は解除するためには、図１の（ｂ）に示すように、前記ループボタン部１４１の両側面に力を加えるようになり、この力によって前記ピン固定部１２０のピン１２１が前記ピン締結部１３０から分離されることにより、被付着物に装身具固定用安全ピン１００を結合又は解除することができ、再び加えられていた力が解除されれば、前記ループボタン部１４１が弾性力によって本来の形態に復元されると共に、図１の（ａ）に示すような形で前記ピン固定部１２０のピン１２１が前記ピン締結部１３０のピン締結溝１３１に挿入締結された状態に復元されるようになる。
【００３９】
［第２の実施形態］
図２の（ａ）及び（ｂ）は、本発明の第２の実施形態に係る装身具固定用安全ピンの構成とその作動状態を示す斜視図である。図２の（ａ）は、装身具固定用安全ピンのループボタン部に力が加圧されていない状態を示すものであり、図２の（ｂ）は、前記ループボタン部に力が加圧された際の変化状態を示すものである。
【００４０】
図２の（ａ）及び（ｂ）を参照すると、本発明の第２の実施形態に係る装身具固定用安全ピン２００は、ベース部２１０、ピン固定部２２０、ピン締結部２３０、及びループボタン部２４０を含む。
【００４１】
以下、第２の実施形態に係る装身具固定用安全ピン２００の構成を説明することにおいて、前述した実施形態の構成と同じ部分については簡略に説明する。
【００４２】
前記ベース部２１０は、長さ方向を有する胴体を有し、中心にボルト構造を有する装身具（未図示）が結合されるための内部に、ネジ線が形成された装身具結合孔２１５が形成される。
【００４３】
前記ピン固定部２２０は、前記ベース部２１０の一端に結合され、ベース部２２０の長さ方向に延伸された少なくとも一つ以上のピン２２１が固定される。
【００４４】
前記ピン締結部２３０は、前記ベース部２１０の他端に結合され、前記ピン固定部２２０のピン２２１が挿入締結されるピン締結溝２３１が形成される。
【００４５】
本発明の第２の実施形態に係る装身具固定用安全ピン２００において、前記ピン固定部２２０は、前記ベース部２１０に垂直に固定されるように結合され、前記ピン締結部２３０のみヒンジ２３５を通じてヒンジ結合され、ベース部２１０の外郭の方向への移動が可能な形で結合される。この際、前記ピン締結部２３０は、ヒンジ２３５を中心にしてベース部２１０の外郭の方向に回転運動することによって移動されるようになる。また、前記ピン締結部２３０は、ベース部２１０の外郭の方向への回転運動が可能であると共に、内側への回転は制限されることができるような形で構成されることが望ましい。
【００４６】
一方、図２の（ａ）及び（ｂ）では、前記ピン固定部２２０が固定され、前記ピン締結部２３０がヒンジ結合されていると説明されているが、本発明はこれに限定されず、逆に、前記ピン固定部２２０がヒンジ結合され、前記ピン締結部２３０が固定されるように結合できることはもちろんである。また、前記ピン締結部２３０が前記ベース部２１０に結合される方式がヒンジによって結合されることはできるが、本発明はこれに限定されず、前記ベース部２１０を基準にして前記ピン締結部２３０が移動されることができる多様な形に変形可能であることは言うまでもない。
【００４７】
前記ループボタン部２４０は、前記ベース部２１０と、前記ピン締結部２３０に結合され、外部から加えられる力によって変形され、自体の弾性力によって本来の形態に復元されるループ構造で形成される。この際、前記ピン締結部２３０は、前記ループボタン部２４０の変形及び復元に対して連動され、共に運動され得る構造で前記のループボタン部２４０に連結されることが望ましい。一方、図２の（ａ）及び（ｂ）では、前記ループボタン部２４０に前記ピン締結部２３０が連結されていると説明されているが、本発明はこれに限定されず、逆に、前記ピン固定部２２０がヒンジ結合された場合、前記ピン固定部２２０のみ前記ループボタン部２４０に連結され得ることは言うまでもない。
【００４８】
具体的に、第２の実施形態に係る装身具固定用安全ピン２００の作動状態を説明すると、図２の（ａ）は、前記ループボタン部２４０に外部からの力が加えられなかった本来の状態の場合を示したものであって、前記ループボタン部２４０は、前記ピン固定部２２０とピン締結部２３０との間で、前記ピン締結部２３０にのみ力を伝えることができるような形で備えられ、前記ピン締結部２３０には、何の力も加われていない状態を保持する。この際、前記ピン固定部２２０とピン締結部２３０は、前記ベース部２１０に対して垂直に位置し、前記ピン固定部２２０のピン２２１が前記ピン締結部２３０のピン締結溝２３１に挿入締結された状態を保持することになる。
【００４９】
さらに、図２の（ｂ）は、前記ループボタン部２４０に外部からの力が加えられた状態を示すものであって、前記ループボタン部２４０は、前記ベース部２１０の側面の方向に加圧される力によって変形され、前記ピン締結部２３０に外郭の方向への力を伝える。そうすると、前記ピン締結部２３０は、前記ヒンジ２３５を中心にして外郭の方向に回転運動することにより、前記ピン締結部２３０が前記ピン固定部２２０から離隔され、前記ピン固定部２２０のピン２２１が前記ピン締結部２３０のピン締結溝２３１から離脱して分離されるようになる。
【００５０】
［第３の実施形態］
図３の（ａ）及び（ｂ）は、本発明の第３の実施形態に係る装身具固定用安全ピンの構成とその作動状態を示す斜視図である。図３の（ａ）は、装身具固定用安全ピンのループボタン部に力が加圧されていない状態を示すものであり、図３の（ｂ）は、前記ループボタン部に力が加圧された際の変化状態を示すものである。
【００５１】
図３の（ａ）及び（ｂ）を参照すると、本発明の第３の実施形態に係る装身具固定用安全ピン３００は、ベース部３１０、ピン固定部３２０、及びループボタン部３４０を含む。
【００５２】
以下、第３の実施形態に係る装身具固定用安全ピン３００の構成を説明するにおいて、前述した実施形態の構成と同じ部分については簡略に説明する。
【００５３】
前記ベース部３１０は、長さ方向を有する胴体を有し、中心にボルト構造を有する装身具（未図示）が結合されるための内部に、ネジ線が形成された装身具結合孔３１５が形成される。
【００５４】
本発明の第３の実施形態に係る装身具固定用安全ピン３００において、前記ピン固定部３２０は、前記ベース部３１０の一端にヒンジ３２５を通じてヒンジ結合され、ベース部３１０の外郭の方向への移動が可能な形で結合される。この際、前記ピン固定部３２０は、ヒンジ３２５を中心にしてベース部３１０の外郭の方向に回転運動することによって移動されるようになる。また、前記ピン固定部３２０は、ベース部３１０の外郭の方向への回転運動が可能であると共に、内側への回転は制限されることができるような形で構成されることが望ましい。また、前記ピン固定部３２０は、前記ベース部３１０の長さ方向に延伸され、その末端がベース部３１０の他端に固定されるように屈曲された形態を有する少なくとも一つ以上のピン３２１が固定される。
【００５５】
一方、前記ピン固定部３２０が前記ベース部３１０に結合される方式がヒンジによって結合されることはできるが、本発明はこれに限定されず、前記ベース部３１０を基準に前記ピン固定部３２０が移動されることができる多様な形に変形可能であることは言うまでもない。
【００５６】
前記ループボタン部３４０は、前記ベース部３１０と、前記ピン固定部３２０に結合され、外部から加えられる力によって変形され、自体の弾性力によって本来の形態に復元されるループ構造で形成される。この際、前記ピン固定部３２０は、前記ループボタン部３４０の変形及び復元に対して連動され、共に運動され得る構造で前記のループボタン部３４０に連結されることが望ましい。
【００５７】
具体的に、第３の実施形態に係る装身具固定用安全ピン３００の作動状態を説明すると、図３の（ａ）は、前記ループボタン部３４０に外部からの力が加えられなかった本来の状態の場合を示すものであって、前記ループボタン部３４０は、前記ピン固定部３２０に力を伝達できる形で備えられ、前記ピン固定部３２０には、何の力も加われていない状態を保持する。この際、前記ピン固定部３２０は、前記ベース部３１０に対して垂直に位置し、前記ピン固定部３２０のピン３２１が前記ベース部３１０の他端に固定された状態を保持することになる。
【００５８】
さらに、図３の（ｂ）は、前記ループボタン部３４０に外部からの力が加えられた状態を示すものであって、前記ループボタン部３４０は、前記ベース部３１０の側面の方向に加圧される力によって変形され、前記ピン固定部３２０に外郭の方向への力を伝える。そうすると、前記ピン締結部３２０は、前記ヒンジ３２５を中心にして外郭の方向に回転運動することにより、前記ピン固定部３２０のピン３２１が前記ベース部３１０から分離されるようになる。
【００５９】
［第４の実施形態］
図４の（ａ）及び（ｂ）は、本発明の第４の実施形態に係る装身具固定用安全ピンの構成とその作動状態を示す斜視図である。図４の（ａ）は、装身具固定用安全ピンのループボタン部に力が加圧されていない状態を示すものであり、図４の（ｂ）は、前記ループボタン部に力が加圧された際の変化状態を示すものである。
【００６０】
図４の（ａ）及び（ｂ）を参照すると、本発明の第４の実施形態に係る装身具固定用安全ピン４００は、ベース部４１０、第１のピン固定部４２０、第２のピン固定部４３０、及びループボタン部４４０を含む。
【００６１】
以下、第４の実施形態に係る装身具固定用安全ピン４００の構成を説明するにおいて、前述した実施形態の構成と同じ部分については簡略に説明する。
【００６２】
前記ベース部４１０は、長さ方向を有する胴体を有し、中心にボルト構造を有する装身具（未図示）が結合されるための内部に、ネジ線が形成された装身具結合孔４１５が形成される。
【００６３】
前記第１のピン固定部４２０は、前記ベース部４１０の一端に結合され、ベース部４１０の長さ方向に延伸された少なくとも一つ以上のピン４２１が固定される。この際、前記第１のピン固定部４２０に固定された少なくとも一つ以上のピン４２１は、前記ベース部４１０の長さ方向に延伸された形で形成される。
【００６４】
前記第２のピン固定部４３０は、前記ベース部４１０の他端に結合され、ベース部４１０の長さ方向に延伸された少なくとも一つ以上のピン４２１が固定される。この際、前記第２のピン固定部４３０に固定された少なくとも一つ以上のピン４３１は、前記ベース部４１０の長さ方向に延伸された形で形成される。
【００６５】
前記第１及び第２のピン固定部４２０、４３０のピン４２１、４３１は、図４の（ａ）に示すように、前記ベース部４１０の長さ方向に延伸され、前記ベース部４１０の中心部分に固定されるように屈曲された形で形成される。また、第１のピン固定部４２０のピン４２１と第２のピン固定部４３０のピン４３１は、その末端が前記ベース部４１０の中心部から互いに交差するように位置することができる。しかし、本発明はこれに限定されず、前記第１及び第２のピン固定部４２０、４３０のピン４２１、４３１の長さが互いに会わない程度の長さに形成された場合、互いに交差しない形で位置され得ることは自明である。
【００６６】
一方、図４の（ａ）では、前記第１及び第２のピン固定部４２０、４３０のピン４２１、４３１が前記ベース部４１０に中心部分に固定され得る屈曲された形で形成されていると説明されているが、本発明はこれに限定されず、前記ベース部４１０の長さ方向に延伸された形で互いに水平になるように形成されることもできる。この場合、第１のピン固定部４２０のピン４２１と第２のピン固定部４３０のピン４３１は、その末端が前記ベース部４１０の中心部から互いに交差するように位置することが望ましい。
【００６７】
本発明の第４の実施形態に係る装身具固定用安全ピン４００において、前記第１のピン固定部４２０と第２のピン固定部４３０は、前記ベース部４１０の一端と他端にそれぞれヒンジ４２５、４３５を通じてヒンジ結合され、ベース部４１０の外郭の方向への移動が可能な形で結合される。この際、第１及び第２のピン固定部４２０、４３０は、ヒンジ４２５、４３５を中心にしてベース部４１０の外郭の方向に回転運動することによって移動されるようになる。また、第１及び第２のピン固定部４２０、４３０は、ベース部４１０の外郭の方向への回転運動が可能であると共に、内側への回転は制限されることができるような形で構成されることが望ましい。
【００６８】
一方、前記第１及び第２のピン固定部４２０、４３０が前記ベース部４１０に結合される方式がヒンジによって結合されることができるが、本発明はこれに限定されず、前記ベース部４１０を基準にして前記第１及び第２のピン固定部４２０、４３０が移動されることができる多様な形に変形可能であることは言うまでもない。
【００６９】
前記ループボタン部４４０は、前記第１のピン固定部４２０と第２のピン固定部４３０に結合され、外部から加えられる力によって変形され、自体の弾性力によって本来の形態に復元されるループ構造で形成される。この際、前記第１及び第２のピン固定部４２０、４３０は、前記ループボタン部４４０の変形及び復元に対して連動され、共に運動され得る構造で前記のループボタン部４４０に連結されることが望ましい。
【００７０】
具体的に、第４の実施形態に係る装身具固定用安全ピン４００の作動状態を説明すると、図４の（ａ）は、前記ループボタン部４４０に外部からの力が加えられなかった本来の状態を示すものであって、前記ループボタン部４４０は、前記第１及び第２のピン固定部４２０、４３０の間に位置し、前記第１及び第２のピン固定部４２０、４３０には、何の力も加えられなかった状態を保持する。この際、前記第１及び第２のピン固定部４２０、４３０は、前記ベース部４１０に対して垂直に位置し、第１及び第２のピン固定部４２０、４３０のピン４２１、４３１の採択された形態に応じて、前記ベース部４１０の中心部から互いに交差された状態に保持したり、前記ベース部４１０の中心部分に固定された状態を保持することになる。
【００７１】
そして、図４の（ｂ）は、前記ループボタン部４４０に外部からの力が加えられた状態を示すものであって、前記ループボタン部４４０は、前記ベース部４１０の側面の方向に加圧される力によって変形され、前記第１及び第２のピン固定部４２０、４３０に互いに反対方向の力を伝える。そうすると、前記第１及び第２のピン固定部４２０、４３０は、前記ヒンジ４２５、４３５を中心にして、それぞれ外郭の方向に回転運動することにより、前記第１のピン固定部４２０と第２のピン固定部４３０との間の間隔が離隔され、前記第１及び第２のピン固定部４２０、４３０のピン４２１、４３１が前記ベース部４１０の上部方向に分離されるようになる。
【００７２】
図５の（ａ）及び（ｂ）は、本発明に係る装身具固定用安全ピンにおいて、補助弾性バネが追加された構成を示す斜視図であり、図６の（ａ）及び（ｂ）は、本発明に係る装身具固定用安全ピンにおいて、ループボタン部の変形された構成とその作動状態を示す斜視図であり、図７の（ａ）及び（ｂ）は、本発明に係る装身具固定用安全ピンにおいて、ループボタン部の他の変形された構成とその作動状態を示す側面図であり、図８は、本発明に係る装身具固定用安全ピンにおいて、ループボタン部の他の形態の構成を示す斜視図である。図５ないし図７の（ｂ）は、第１の実施形態に係る装身具固定用安全ピンを基準にして変形された例を示すものであり、図８は、第４の実施形態に係る装身具固定用安全ピンを基準にして変形された例を示すものである。
【００７３】
一方、前述の実施形態では、前記ループボタン部１４１、２４０、３４０、４４０のみによって装身具固定用安全ピンの作動のための弾性力が提供されていると説明されているが、本発明はこれに限定されず、図５の（ａ）及び（ｂ）に示すように、前記ループボタン部１４１、２４０、３４０、４４０の弾性力を補助する補助弾性バネ１５１を更に含むことができる。
【００７４】
前記補助弾性バネは、前記のループボタン部１４１の内部に補助弾性バネ１５１を形成したり、前記ピン固定部１２０とピン締結部１３０に補助弾性バネ１５４、１５５を形成して、ループボタン部１４１の変形及び復元に対して連動され、共に運動され得るようにすることができる。
【００７５】
この際、前記補助弾性バネ１５１、１５２、１５３は、ループボタン部のループ内部に単一に形成されたり、前記ベース部１１０を介して両側にそれぞれ形成することができる。
【００７６】
また、前記補助弾性バネ１５４、１５５は、前記ピン固定部１２０とピン締結部１３０に単一に形成されたり、両側にそれぞれ形成されることができる。 
この際、前記補助弾性バネ１５４、１５５が前記ピン固定部１２０とピン締結部１３０にそれぞれ形成された場合、前記ピン固定部１２０のバネの弾性が強くなるように形成し、前記ピン締結部１３０のバネの弾性が弱くなるように形成し、ユーザーが前記ループボタン部１４１を加圧すると、バネの弾性が弱い前記ピン締結部１３０が先に移動してピン締結を解除し、バネの弾性が強い前記ピン固定部１２０は、ピン締結の解除が完了すれば移動させ、ピンの解除及び締結が順次に行われようにすることができる。
【００７７】
この際、前記補助弾性バネ１５１、１５２、１５３、１５４、１５５は、引張バネ、コイルバネ、板バネ、ヒンジバネ、トーションバネなど様々なバネを適切な位置に変形して形成できることは言うまでもない。 
また、前述の実施形態において、前記のループボタン部１４１、２４０、３４０、４４０は、弾性材質のゴムやプラスチックからなると説明されているが、本発明はこれに限定されず、弾性を有する金属板や金属リングからなることができる。
【００７８】
このような場合、図６の（ａ）及び（ｂ）に示すように、ループボタン部１４２が金属リングの材質からなる場合、前記ピン固定部１２０とピン締結部１３０に結合されることにおいて、前記ループボタン部１４２が通過されるように収容する収容部材１６１が前記ピン固定部１２０とピン締結部１３０に形成されることができ、これによって前記ループボタン部１４２が前記ピン固定部１２０とピン締結部１３０に結合されるようになる。前記収容部材１６１は、前記ピン固定部１２０とピン締結部１３０に別途に備えられたリング状の構造で形成されることができる。また、この場合、ループボタン部１４２の左右側に板状のボタン部材１４５が更に構成されることができる。また、ループボタン部１４２の弾性力の補助のために、前記ベース部１１０を介して両側にそれぞれ備えられた形の補助弾性バネ１５２が更に構成されることができる。このような前記ボタン部材１４５と補助弾性バネ１５２は、変形された実施形態だけでなく、前述した実施形態にも適用可能であることは言うまでもない。
【００７９】
代案的に、図７の（ａ）及び（ｂ）に示すように、ループボタン部１４２が金属リングの材質からなる場合、前記ピン固定部１２０とピン締結部１３０には、前記ループボタン部１４２が通過され得る孔状の構造を有する収容部材１６２が形成されることもできる。このような形の収容部材１６２は、前記ループボタン部１４２が通過する孔が長孔の形で形成されることが望ましい。
【００８０】
また、前述の実施形態では、前記ループボタン部１４１、２４０、３４０、４４０がループ構造の形で形成されていると説明されているが、本発明はこれに限定されず、図８に示すように、前記ベース部１１０の一側面にのみ備えられた半円状の構造で形成されたループボタン部１４３で構成されることができる。このような構成は、装身具固定用安全ピンのサイズをよりコンパクトに構成できるという利点を有する。
【００８１】
更に、前述の実施形態に係る装身具固定用安全ピンの場合、被付着物に決着されるピングループが単一に構成されていると説明されているが、本発明はこれに限定されず、図９に示すように、ベース部５１０が長さ方向に更に延伸された形態の胴体を有するように構成され、前記ベース部５１０に、ループボタン部とピン固定部またはピン締結部で構成されたピングループ５２０が少なくとも一つ以上結合されて構成されることができる。この場合、ループボタン部１４４は、それぞれのピングループ５２０を互いに連結する形で形成されることが望ましく、それぞれのピングループ５２０の間には、各ピングループ５２０に属するループボタン部１４４を同時に作動させることができるようにするボタン部材１４６が更に備えられることができる。このような構成は、装身具固定用安全ピンに結束される装身具のサイズが大きい場合に適用する場合、被付着物に装身具固定用安全ピンが堅固に結束されるようにするという利点を有する。
【００８２】
以上のように、本発明は、限定された実施形態と図面により説明されているものの、本発明はこれによって限定されず、本発明が属する技術分野で通常の知識を持った者によって、本発明の技術思想と以下に記載の特許請求の範囲との均等範囲内で様々な修正及び変形が可能であることは言うまでもない。
【図１】
2015526154.tif 000003
【図２】
2015526154.tif 000004
【図３】
2015526154.tif 000005
【図４】
2015526154.tif 000006
【図５】
2015526154.tif 000007
【図６】
2015526154.tif 000008
【図７】
2015526154.tif 000009
【図８】
2015526154.tif 000010
【図９（ａ）】
2015526154.tif 000011
【図９（ｂ）】
2015526154.tif 000012
【国際調査報告】
2015526154.tif 000013
2015526154.tif 000014
2015526154.tif 000015
2015526154.tif 000016